(57)【要約】【課題】スペースやコストを犠牲にすることなく、プランジャ吸引時の消音効果を発揮することができる自己保持型のソレノイドを提供する。【解決手段】内部に空間部を有するコイルと、当該コイルに正逆方向に電流が流れることにより当該空間部を進退するブランジャと、当該プランジャの進行方向限界を規制するストッパとを備え、当該ストッパのうち、少なくともプランジャ進行方向先端部と接触する部分はラバーマグネット又はプラスチックマグネットで構成される自己保持型ソレノイド。内部に空間部を有するコイルと、当該コイルに正逆方向に電流が流れることにより当該空間部を進退するブランジャと、当該プランジャの進行方向限界を規制するストッパとを備え、当該プランジャのうち、少なくとも当該ストッパと接触する部分はプラスチックマグネットで構成される自己保持型ソレノイド。【選択図】    図１
2004288909.tif 000002
【特許請求の範囲】
【請求項１】
内部に空間部を有するコイルと、当該コイルに正逆方向に電流が流れることにより当該空間部を進退するブランジャと、当該プランジャの進行方向限界を規制するストッパとを備え、
当該ストッパのうち、少なくともプランジャ進行方向先端部と接触する部分はラバーマグネット又はプラスチックマグネットで構成される自己保持型ソレノイド。
【請求項２】
内部に空間部を有するコイルと、当該コイルに正逆方向に電流が流れることにより当該空間部を進退するブランジャと、当該プランジャの進行方向限界を規制するストッパとを備え、
当該プランジャのうち、少なくとも当該ストッパと接触する部分はプラスチックマグネットで構成される自己保持型ソレノイド。
【請求項３】
前記プランジャは、前記ストッパと接触する部分と当該プランジャの壁部分との際目が連続的な曲面で形成されている請求項１又は２に記載の自己保持型ソレノイド。
【請求項４】
前記プランジャは、前記ストッパと接触する部分が当該ストッパ側に突出する曲面を備える請求項１〜３のいずれかに記載の自己保持型ソレノイド。
【請求項５】
前記ストッパは、前記プランジャと接触する部分が当該プランジャ側に突出する曲面を備える請求項１〜４のいずれかに記載の自己保持型ソレノイド。
【発明の詳細な説明】
【０００１】
【発明の属する技術分野】
本発明は自己保持型ソレノイドに関し、より詳しくは、自己保持型ソレノイドのプランジャ吸引時の消音技術に係る。
【０００２】
【従来の技術】
【特許文献１】特開昭６１−３００１１号公報
【０００３】
従来から、ソレノイドの消音技術としては、例えば、特許文献１に開示されているように、プランジャと接触する緩衝部材を設け、プランジャ吸引時の騒音を低減する技術が提案されている。
【０００４】
【発明が解決しようとする課題】
しかしながら、このように別途緩衝部材を設ける場合には、スペース的、コスト的に不利になる。一方、自己保持型のソレノイドではソレノイド内部に吸引状態を保持するための永久磁石を備えている。
【０００５】
本発明は、このような技術的な課題と永久磁石の存在に着目してなされたものであり、その目的は、スペースやコストを犠牲にすることなく、プランジャ吸引時の消音効果を発揮することができる自己保持型のソレノイドを提供することにある。
【０００６】
【課題を解決するための手段】
すなわち本発明は、内部に空間部を有するコイルと、当該コイルに正逆方向に電流が流れることにより当該空間部を進退するブランジャと、当該プランジャの進行方向限界を規制するストッパとを備え、当該ストッパのうち、少なくともプランジャ進行方向先端部と接触する部分はラバーマグネット又はプラスチックマグネットで構成される自己保持型ソレノイドである。また、前記ストッパは、全体的にラバーマグネット又はプラスチックマグネットで構成されるものでもよい。
【０００７】
自己保持型ソレノイドをこのように構成することにより、前記ストッパは、そのマグネット（磁性体）としての性質からプランジャの進行状態を安定的に保持することが出来る。一方、前記ストッパは、そのラバー又はプラスチックとしての（比較的軟らかい）性質から、鉄などの金属で構成される場合に比べて、プランジャが衝突する際の騒音をより効果的に防止することができる。また、消音のために別途新たな部材が不要であるため、スペース的、コスト的に有利である。
【０００８】
また本発明は、内部に空間部を有するコイルと、当該コイルに正逆方向に電流が流れることにより当該空間部を進退するブランジャと、当該プランジャの進行方向限界を規制するストッパとを備え、当該プランジャのうち、少なくとも当該ストッパと接触する部分はプラスチックマグネットで構成される自己保持型ソレノイドでもある。また、前記プランジャは、全体的にプラスチックマグネットで構成されるものでもよい。
【０００９】
自己保持型ソレノイドをこのように構成することにより、前記プランジャは、そのマグネット（磁性体）としての性質からプランジャの進行状態を安定的に保持することが出来る。一方、前記プランジャは、そのプラスチックとしての（比較的軟らかい）性質から、鉄などの金属で構成される場合に比べて、プランジャが衝突する際の騒音をより効果的に防止することができる。また、消音のために別途新たな部材が不要であるため、スペース的、コスト的に有利である。
【００１０】
またこれらの発明を互いに適用することもできる。すなわち、本発明は、内部に空間部を有するコイルと、当該コイルに正逆方向に電流が流れることにより当該空間部を進退するブランジャと、当該プランジャの進行方向限界を規制するストッパとを備え、当該ストッパのうち、少なくともプランジャ進行方向先端部と接触する部分はラバーマグネット又はプラスチックマグネットで構成され、当該プランジャのうち、少なくとも当該ストッパと接触する部分はプラスチックマグネットで構成される自己保持型ソレノイドとすることもできる。
【００１１】
ところで、このようにストッパ及び／又はプランジャを（鉄などの金属に比べて）軟らかいラバーマグネットやプラスチックマグネットで構成する場合には、経時的な使用により、ストッパ及び／又はプランジャがダメージを受けるおそれがある。そのダメージを未然に防止するため、次のような構成を採用することが好ましい。
【００１２】
すなわち、前記プランジャは、前記ストッパと接触する部分と当該プランジャの壁部分との際目が連続的な曲面で形成されるものでもよい。また、前記プランジャは、前記ストッパと接触する部分が当該ストッパ側に突出する曲面を備えるものでもよい。さらに、前記プランジャは、前記ストッパと接触する部分が当該ストッパ側に突出する曲面で構成されるものでもよい。
【００１３】
また、前記ストッパは、前記プランジャと接触する部分が当該プランジャ側に突出する曲面を備えるものでもよい。また、前記ストッパは、前記プランジャと接触する部分が当該プランジャ側に突出する曲面で構成されるものでもよい。さらに、前記ストッパは、空間部を塞ぐものでもよい。特に、前記ストッパをこのように構成することにより、万一、ストッパ及び／又はプランジャが損傷した場合であっても、その小片が磁束密度が高まる空間部とストッパとの間に保持され、プランジャの進退を妨げることがない。
【００１４】
【発明の実施による形態】
以下、実施例に基づいて本発明の実施による形態を説明する。
【００１５】
実施例
図１は、実施例に係る自己保持型ソレノイド１の断面概略図である。このソレノイド１は、内部に空間部を有するコイル２と、そのコイル２に正逆方向に電流が流れることにより当該空間部を進退するプランジャ３と、当該プランジャ３の進行方向限界を規制するストッパ４と、コイル２の空間部の対向方向に開口部を備えコイル２を保持するヨーク５と、ヨーク５の開口部近傍に設けられる永久磁石６と、プランジャ３に弾性力を付与するバネ７とを備えている。ここで、プランジャ３は、進行方向端部がＮ極、退行方向端部がＳ極となるプラスチックマグネットで構成されている。一方、ストッパ４は、プランジャ３の進行方向端部が接触する側がＳ極、反対側がＮ極のラバーマグネットで構成されている。
【００１６】
図１（ａ）に示す退行状態から、コイル２に正方向に電流が流れると、磁力により（バネ７の弾性力に抗して）プランジャ３がコイル２の空間部を進行し（図中矢印Ａ方向）、プランジャ３の進行方向先端がストッパ４に衝突して停止する（進行状態：図１（ｂ）参照）。ここで、プランジャ３とストッパ４とが衝突する際も、それぞれプランジャ３がプラスチック、ストッパ４がラバーで構成されているため（鉄などの金属で構成されている場合に比べて）その衝突音の程度が低く押さえられる。
【００１７】
コイル２への電流が停止された後も、プランジャ３の進行方向端部のＮ極とストッパ４のＳ極、及びプランジャ３の退行方向端部のＳ極と永久磁石６のＮ極とが互いに引き付けあうため、（バネ７の弾性力に抗して）プランジャ３はその進行位置を保持する。
【００１８】
次に、図１（ｂ）に示す退行状態から、コイル２に逆方向に電流が流れると、磁力及びバネ７の弾性力とともに（プランジャ３とストッパ４、プランジャ３と永久磁石６との磁力に抗して）プランジャ３がコイル２の空間部を退行し（図中矢印Ｂ方向）、停止する（退行状態：図１（ａ）参照）。
【００１９】
変形例
実施例では、プランジャ３の進行方向先端部、及びストッパ４のプランジャ３と接触する部分がいずれも平面に構成されている。変形例では、ストッパ及び／又はプランジャを（鉄などの金属に比べて）軟らかいラバーマグネットやプラスチックマグネットで構成する場合であっても、ストッパ４及びプランジャ３に与えるダメージを未然に防止するため、次のような構成を採用した。以下、実施例に係る自己保持型ソレノイド１の変形例を説明する。
【００２０】
図２は、変形例に係る自己保持型ソレノイド１のプランジャ３の進行方向先端部の断面図である。図２（ａ）に示すように、略円柱状のプランジャ３の先端部のうち、ストッパ４と接触する部分３１と、壁部分３２と境界を連続的な曲面３３として形成することが出来る（変形例１）。また、図２（ｂ）に示すように、略円柱状のプランジャ３の先端部のうち、ストッパ４と接触する部分３１をストッパ側に突出する曲面として構成することもできる（変形例２）。また、図２（ｃ）に示すように、略円柱状のプランジャ３の先端部のうち、ストッパ４と接触する部分３１と、壁部分３２と境界を連続的な曲面３３として形成するとともに、ストッパ４と接触する部分３１をストッパ側に突出する曲面として構成することもできる（変形例３）。さらに、図２（ｄ）に示すように、略円柱状のプランジャ３の先端部のうち、ストッパ４と接触する部分３１をストッパ側に突出するリング状の曲面として構成することもできる（変形例４）。
【００２１】
図３は、変形例に係る自己保持型ソレノイド１のストッパ４の断面図である。
図３に示すように、ストッパ４のプランジャ３と接触する部分４１が当該プランジャ側に突出する曲面で構成されるものでもよい（変形例５）。このように構成することにより、万一、ストッパ４及びプランジャ３が損傷した場合であっても、その小片が磁束密度が高まる空間部とストッパとの間４１ａ、４１ｂに保持され、空間内部に拡散せず、プランジャ３の進退（スライド）を妨げることがない。
【００２２】
【発明の効果】
以上詳細に説明したように、本発明によれば、スペースやコストを犠牲にすることなく、プランジャ吸引時の消音効果を発揮することができる自己保持型のソレノイドを提供することができる。
【図面の簡単な説明】
【図１】図１は、実施例に係る自己保持型ソレノイド１の断面概略図である。
【図２】図２は、プランジャの変形例を説明する断面図である。
【図３】図３は、ストッパの変形例を説明する断面図である。
【符号の説明】
１…自己保持型ソレノイド、２…コイル、３…プランジャ、４…ストッパ、５…ヨーク５、６…永久磁石、７…バネ
【図１】
2004288909.tif 000003
【図２】
2004288909.tif 000004
【図３】
2004288909.tif 000005